(57)【要約】【課題】  帯域外特性を改善できる弾性表面波デバイスを提供する。【解決手段】  ＳＡＷフィルタを２組備えた共振型フィルタを備え、１組目のＳＡＷフィルタに形成される複数のグランド電極７ａ，７ｂをパッケージ４０の第１のグランド電極パッド３０ａにワイヤー１２ａ，１２ｂで接続し、２組目のＳＡＷフィルタに形成される複数のグランド電極８ａ，８ｂをパッケージ４０の第２のグランド電極パッド３０ｃにワイヤー１２ｃ，１２ｄで接続し、第１、第２のグランド電極パッド３０ａ，３０ｃが、スルーホールで導通して下層の共通グランド電極に接続し、各組のグランド電極のパターンを、接続するグランド電極パッド側に近づけるよう引き出した形状とした弾性表面波デバイスである。【選択図】        図２
2013106096.tif 000002
【特許請求の範囲】
【請求項１】
圧電基板上に弾性表面波フィルタを２組形成された共振型フィルタをパッケージに実装した弾性表面波デバイスであって、
１組目の弾性表面波フィルタに形成される複数のグランド電極を前記パッケージの第１のグランド電極パッドにワイヤーで接続し、
２組目の弾性表面波フィルタに形成される複数のグランド電極を前記パッケージの第２のグランド電極パッドにワイヤーで接続し、
前記第１のグランド電極パッドと前記第２のグランド電極パッドは、スルーホールで導通して下層の共通グランド電極に接続し、
各組のグランド電極のパターンを、接続するグランド電極パッド側に引き出された形状としたことを特徴とする弾性表面波デバイス。
【請求項２】
各組の弾性表面波フィルタは、入力ＩＤＴと、出力ＩＤＴと、反射器を備え、
１組目の入力ＩＤＴと２組目の入力ＩＤＴを接続する入力電極と、前記１組目の出力ＩＤＴと前記２組目の出力ＩＤＴを接続する出力電極とが形成され、
前記入力電極をパッケージの入力電極パッドに接続し、前記出力電極を前記パッケージの出力電極パッドに接続し、
前記入力電極のパターンを、圧電基板の中央から外側に引き出された形状とし、前記出力電極のパターンを、前記圧電基板の中央から外側に引き出された形状としたことを特徴とする請求項１記載の弾性表面波デバイス。
【請求項３】
入力ＩＤＴと出力ＩＤＴを分離するシールド電極が圧電基板中央に形成され、当該シールド電極が第１又は第２のグランド電極パッドにワイヤーで接続されることを特徴とする請求項２記載の弾性表面波デバイス。
【請求項４】
第１のグランド電極パッドは、パッケージの四隅の一つに設けられ、
第２のグランド電極パッドは、前記第１のグランド電極パッドとは対角に位置する前記パッケージの四隅に設けられ、
入力電極パッドは、前記パッケージの一辺の中央部分に設けられ、
出力電極パッドは、前記一辺に対向する辺の中央部分に設けられていることを特徴とする請求項２又は３記載の弾性表面波デバイス。
【発明の詳細な説明】
【技術分野】
【０００１】
本発明は、共振合成型フィルタ等の弾性表面波デバイスに係り、特に、帯域外特性を改善する弾性表面波デバイスに関する。
【背景技術】
【０００２】
［従来の技術］
２組の共振型ＳＡＷ（Surface Acoustic Wave）フィルタを並列接続し、ＩＤＴ（Inter Digital Transducer：櫛形電極）の入出力電極及びグランド電極をワイヤーボンディングでパッケージの入出力電極パッド又はグランド電極パッドに接続している。
２組の並列接続した入力ＩＤＴ及び出力ＩＤＴを共通にすると、グランドワイヤーが４本必要になる。
【０００３】
［従来のパッケージ実装：図５］
従来の共振合成型フィルタをパッケージに実装した構成について図５を参照しながら説明する。図５は、従来の共振合成型フィルタをパッケージに実装した弾性表面波デバイスの概略図である。
従来の弾性表面波デバイスは、図５に示すように、基板１０上に、入力電極５５ａ、出力電極５５ｂ、グランド電極５７ａ，５７ｂ，５８ａ，５８ｂ、シールド電極５９が形成され、その上に、入力ＩＤＴ、出力ＩＤＴ、反射器のフィルタパターン１５ａ，１５ｂが形成されている。
【０００４】
そして、パッケージの四隅にはグランド電極パッド３０ａ，３０ｂ，３０ｃ，３０ｄが形成されると共に、グランド電極パッド３０ａとグランド電極パッド３０ｂとの間に出力電極パッド２０ａが、グランド電極パッド３０ｃとグランド電極パッド３０ｄとの間に入力電極パッド２０ｂが形成されている。
そして、グランド電極パッド３０ａ，３０ｂ，３０ｃ，３０ｄは、スルーホールで導通して下層の共通グランド電極に接続している。
【０００５】
そして、グランド電極５７ａとグランド電極パッド３０ａがグランドワイヤー５２ａで接続され、グランド電極５７ｂとグランド電極パッド３０ｂがグランドワイヤー５２ｂで接続され、グランド電極５８ａとグランド電極パッド３０ｃがグランドワイヤー５２ｃで接続され、グランド電極５８ｂとグランド電極パッド３０ｄがグランドワイヤー５２ｄで接続され、シールド電極５５ｄとグランド電極パッド３０ｃがグランドワイヤー５３で接続されている。
【０００６】
また、入力電極５５ａと入力電極パッド２０ｂが入力ワイヤー５１ｂで接続され、出力電極５５ｂと出力電極パッド２０ａが出力ワイヤー５１ａで接続されている。
【０００７】
［関連技術］
尚、関連する先行技術として、特開２００３−１２４７７７号公報「弾性表面波装置」（株式会社村田製作所）［特許文献１］、特開２０００−１５１３５０号公報「弾性表面波デバイス」（東洋通信株式会社）［特許文献２］、特開２００６−２８７７８２号公報「トランスバーサル型ＳＡＷフィルタ」（エプソントヨコム株式会社）［特許文献３］、特開２０１０−０５０６２６号公報「弾性表面波フィルタ」（日本電波工業株式会社）［特許文献４］がある。
【０００８】
特許文献１には、弾性表面波装置において、第１のくし型電極部の基準端子側電極と第２のくし型電極部の基準端子側電極とを圧電基板上で第１の配線パターンにより接続し、第３のくし型電極部の基準端子側電極と、第４のくし型電極部の基準端子側電極とを圧電基板上で第２の配線パターンにより接続することが示されている。
【０００９】
特許文献２には、弾性表面波デバイスにおいて、圧電基板上に２段縦続接続型二重モードＳＡＷフィルタを２組配置したＳＡＷデバイスをパッケージに収容するにあたり、それぞれのフィルタの出力パッドとパッケージの出力用端子を最短距離でボンディングする際に、出力端子と入力端子とが互いにパッケージの反対側になると共に、出力用ボンディングワイヤが他の接地用ボンディングワイヤと交差しないようにフィルタを縦続接続したことが示されている。
【００１０】
特許文献３には、ＳＡＷフィルタにおいて、圧電基板上のＳＡＷの伝搬方向に沿って第１〜３のＩＤＴ電極を所定の間隔をあけて配置し、第１のＩＤＴ電極は第１の入出力端子に接続し、第２，３のＩＤＴ電極はリード電極により互いに接続すると共に第２の入出力端子に接続し、第１のＩＤＴ電極に接続した第１の入出力端子とリード電極との間隙にアースラインを配置することにより、入出力端子間の電磁結合を抑圧することが示されている。
【００１１】
特許文献４には、弾性表面波フィルタにおいて、入力側電極に通過帯域の中心周波数の周波数信号を入力した時点から当該周波数信号に対応する信号が出力側電極から出力されるまでの遅延時間をＴ、弾性表面波の伝播速度をＶとすると、Ｔ×Ｖで表される入力電極から出力電極までの弾性表面波の伝播距離Ｄを、入力電極におけるシールド電極とは反対側の端部から出力電極におけるシールド電極とは反対側の端部までの寸法Ｌで規格化したＤ／Ｌを０．５２＜Ｄ／Ｌ＜０．６５に設定することが示されている。
【先行技術文献】
【特許文献】
【００１２】
【特許文献１】特開２００３−１２４７７７号公報
【特許文献２】特開２０００−１５１３５０号公報
【特許文献３】特開２００６−２８７７８２号公報
【特許文献４】特開２０１０−０５０６２６号公報
【発明の概要】
【発明が解決しようとする課題】
【００１３】
しかしながら、従来の共振合成型フィルタ等の弾性表面波デバイスでは、図５に示したワイヤー接続を行っているため、４つのグランド電極パッドにグランドワイヤーで接続するため、グランド電極パッドの１層目と下層の共通グランド電極の２層目との間で発生するインダクタンス成分が大きくなり、共振合成型フィルタとしての帯域外減衰が劣化するという問題点があった。
【００１４】
［従来の帯域外特性：図６］
従来の帯域外特性について図６を参照しながら説明する。図６は、従来の帯域外特性を表す図である。図６では、横軸が周波数（Freq.［MHz］）で、縦軸が損失（Loss［dB］）である。
図６に示すように、周波数ｆ０（４３０ＭＨｚ）から２〜３目盛離れた減衰が３７〜４３ｄＢとなっており、減衰が大きくなっておらず、改善の余地がある。
【００１５】
本発明は上記実情に鑑みて為されたもので、帯域外特性を改善できる弾性表面波デバイスを提供することを目的とする。
【課題を解決するための手段】
【００１６】
上記従来例の問題点を解決するための本発明は、圧電基板上に弾性表面波フィルタを２組形成された共振型フィルタをパッケージに実装した弾性表面波デバイスであって、１組目の弾性表面波フィルタに形成される複数のグランド電極をパッケージの第１のグランド電極パッドにワイヤーで接続し、２組目の弾性表面波フィルタに形成される複数のグランド電極をパッケージの第２のグランド電極パッドにワイヤーで接続し、第１のグランド電極パッドと第２のグランド電極パッドが、スルーホールで導通して下層の共通グランド電極に接続し、各組のグランド電極のパターンを、接続するグランド電極パッド側に引き出された形状としたことを特徴とする。
【００１７】
本発明は、上記弾性表面波デバイスにおいて、各組の弾性表面波フィルタが、入力ＩＤＴと、出力ＩＤＴと、反射器を備え、１組目の入力ＩＤＴと２組目の入力ＩＤＴを接続する入力電極と、１組目の出力ＩＤＴと２組目の出力ＩＤＴを接続する出力電極とが形成され、入力電極をパッケージの入力電極パッドに接続し、出力電極をパッケージの出力電極パッドに接続し、入力電極のパターンを、圧電基板の中央から外側に引き出された形状とし、出力電極のパターンを、圧電基板の中央から外側に引き出された形状としたことを特徴とする。
【００１８】
本発明は、上記弾性表面波デバイスにおいて、入力ＩＤＴと出力ＩＤＴを分離するシールド電極が圧電基板中央に形成され、当該シールド電極が第１又は第２のグランド電極パッドにワイヤーで接続されることを特徴とする。
【００１９】
本発明は、上記弾性表面波デバイスにおいて、第１のグランド電極パッドが、パッケージの四隅の一つに設けられ、第２のグランド電極パッドが、第１のグランド電極パッドとは対角に位置するパッケージの四隅に設けられ、入力電極パッドが、パッケージの一辺の中央部分に設けられ、出力電極パッドが、一辺に対向する辺の中央部分に設けられていることを特徴とする。
【発明の効果】
【００２０】
本発明によれば、１組目の弾性表面波フィルタに形成される複数のグランド電極をパッケージの第１のグランド電極パッドにワイヤーで接続し、２組目の弾性表面波フィルタに形成される複数のグランド電極をパッケージの第２のグランド電極パッドにワイヤーで接続し、第１のグランド電極パッドと第２のグランド電極パッドが、スルーホールで導通して下層の共通グランド電極に接続し、各組のグランド電極のパターンを、接続するグランド電極パッド側に引き出された形状とした弾性表面波デバイスとしているので、帯域外特性を改善できる効果がある。
【図面の簡単な説明】
【００２１】
【図１】本発明の実施の形態に係る共振合成型フィルタの電極パターンの概略を示す図である。
【図２】本実施の形態の共振合成型フィルタをパッケージに実装した弾性表面波デバイスの概略図である。
【図３】圧電基板上の配線パターンの概略図である。
【図４】本実施の形態の帯域外特性を表す図である。
【図５】従来の共振合成型フィルタをパッケージに実装した弾性表面波デバイスの概略図である。
【図６】従来の帯域外特性を表す図である。
【発明を実施するための形態】
【００２２】
本発明の実施の形態について図面を参照しながら説明する。
［実施の形態の概要］
本発明の実施の形態に係る弾性表面波デバイスは、ＳＡＷフィルタを２組備えた共振型フィルタを備え、１組目のＳＡＷフィルタに形成される複数のグランド電極をパッケージの第１のグランド電極パッドにワイヤーで接続し、２組目のＳＡＷフィルタに形成される複数のグランド電極をパッケージの第２のグランド電極パッドにワイヤーで接続し、第１、第２のグランド電極パッドが、スルーホールで導通して下層の共通グランド電極に接続し、更に各組のグランド電極を接続するグランド電極パッドに近づけるよう引き出した電極パターンとなっているものであり、各組のグランド電極が一つのグランド電極パッドに集約して接続されるため、帯域外減衰の劣化を防止でき、帯域外特性を改善できるものである。
【００２３】
［本フィルタ：図１］
本発明の実施の形態に係る弾性表面波デバイス（本デバイス）の共振合成型フィルタの電極パターンについて図１を参照しながら説明する。図１は、本発明の実施の形態に係る共振合成型フィルタの電極パターンの概略を示す図である。
本発明の実施の形態に係る共振合成型フィルタ（本フィルタ）は、図１に示すように、圧電基板上に、入力ＩＤＴ１と、出力ＩＤＴ２と、その外側に反射器３を有する共振型フィルタであり、２組を並列接続している。
【００２４】
そして、２組内で一方の入力ＩＤＴ１の一端にはグランドに接続するためのグランド電極７ａのパターンが接続し、当該一方の出力ＩＤＴ２の一端にはグランドに接続するためのグランド電極７ｂのパターンが接続し、２組内で他方の入力ＩＤＴ１の一端にはグランドに接続するためのグランド電極８ｂのパターンが接続し、当該他方の出力ＩＤＴ２の一端にはグランドに接続するためのグランド電極８ａのパターンが接続している。
【００２５】
特に、グランド電極７ａのパターンは、入力ＩＤＴ１の櫛歯が延びる方向とは垂直方向で反射器３に向けて外側（図１では左側）に引き出されて形成されている。
また、グランド電極７ｂのパターンもグランド電極７ａのパターンと同じ方向（図１では左側）に引き出されている。
【００２６】
更に、グランド電極８ａのパターンは、入力ＩＤＴ２の櫛歯が延びる方向とは垂直方向で反射器３に向けて外側（図１では右側）に引き出されて形成されている。
また、グランド電極８ｂのパターンもグランド電極８ａのパターンと同じ方向（図１では右側）に引き出されている。
【００２７】
１組目の入力ＩＤＴ１と２組目の入力ＩＤＴ１とを接続する入力電極５ａのパターンは、外側（図１では左側）に向けて引き出されている。
１組目の出力ＩＤＴ２と２組目の出力ＩＤＴ２とを接続する出力電極５ｂのパターンは、外側（図１では右側）に向けて引き出されている。
【００２８】
また、入力ＩＤＴ１と出力ＩＤＴ２とを電気的に分離してシールドするシールド電極９のパターンが形成されている。
【００２９】
［本実施の形態のパッケージ実装：図２］
本実施の形態の共振合成型フィルタをパッケージに実装した構成について図２を参照しながら説明する。図２は、本実施の形態の共振合成型フィルタをパッケージに実装した弾性表面波デバイスの概略図である。
本実施の形態の弾性表面波デバイスは、図２に示すように、基板１０上に、入力電極５ａ、出力電極５ｂ、グランド電極７ａ，７ｂ，８ａ，８ｂ、シールド電極９が形成され、その上に、入力ＩＤＴ、出力ＩＤＴ、反射器のフィルタパターン１５ａ，１５ｂが形成されている。
【００３０】
そして、パッケージの四隅にはグランド電極パッド３０ａ，３０ｂ，３０ｃ，３０ｄが形成されると共に、グランド電極パッド３０ａとグランド電極パッド３０ｂとの間に出力電極パッド２０ａが、グランド電極パッド３０ｃとグランド電極パッド３０ｄとの間に入力電極パッド２０ｂが形成されている。
そして、グランド電極パッド３０ａ，３０ｂ，３０ｃ，３０ｄは、スルーホールで導通して下層の共通グランド電極に接続している。
【００３１】
そして、グランド電極７ａとグランド電極パッド３０ａがグランドワイヤー１２ａで接続され、グランド電極７ｂとグランド電極パッド３０ａがグランドワイヤー１２ｂで接続され、グランド電極８ａとグランド電極パッド３０ｃがグランドワイヤー１２ｃで接続され、グランド電極８ｂとグランド電極パッド３０ｃがグランドワイヤー１２ｄで接続され、シールド電極９とグランド電極パッド３０ｃがグランドワイヤー１３で接続されている。
【００３２】
また、入力電極５ａと入力電極パッド２０ｂが入力ワイヤー１１ｂで接続され、出力電極５ｂと出力電極パッド２０ａが出力ワイヤー１１ａで接続されている。
【００３３】
つまり、グランド電極７ａ，７ｂは、グランドワイヤー１２ａ，１２ｂによりグランド電極パッド３０ａに接続し、グランド電極パッド３０ｂには接続していない。
また、グランド電極８ａ，８ｂ及びシールド電極９は、グランドワイヤー１２ｃ，１２ｄ，１３によりグランド電極パッド３０ｃに接続し、グランド電極パッド３０ｄには接続していない。
従って、２箇所のグランド電極パッド３０ａ，３０ｃに集中してグランドワイヤーを接続している。
【００３４】
［基板上の配線パターン：図３］
次に、図２の圧電基板１０に形成された電極パターンを具体的に図３を参照しながら説明する。図３は、圧電基板上の配線パターンの概略図である。尚、図３において、点線で囲んだ部分に、２組の入力ＩＤＴ、出力ＩＤＴ、反射器のフィルタパターン１５ａ，１５ｂが配置される。
図３に示すように、グランド電極７ａとグランド電極８ａは、近い基板短辺に向けて引き出されたパターンを形成し、入力電極５ａと出力電極５ｂも、近い基板短辺に向けて引き出されたパターンを形成している。
【００３５】
シールド電極９は、グランド電極７ｂとグランド電極８ｂに接続されていない。尚、シールド電極９、グランド電極７ｂ、グランド電極８ｂは、グランドワイヤー１３，１２ｂ，１２ｄでグランド電極パッド３０ｃ，３０ａに接続するため、各々接続されていてもよい。
【００３６】
また、グランド電極７ｂは、グランド電極７ａ側に引き出されたパターンを形成している。また、グランド電極８ｂも、グランド電極８ａ側に引き出されたパターンを形成している。
【００３７】
以上の電極パターンの形状にすることにより、入力ワイヤー１１ｂ及び出力ワイヤー１１ａと、グランドワイヤー１２ａ〜１２ｄ，１３とを分けることができると共に、２箇所のグランド電極パッド３０ｃ，３０ａにグランドワイヤーを集中して接続でき、グランド電極パッドの１層目と下層の共通グランド電極の２層目との間に発生するインダクタンス成分を小さくできるため、共振型合成フィルタにおける帯域外減衰の劣化を防止でき、帯域外特性を向上できるものである。
【００３８】
［実施の形態の帯域外特性：図４］
本実施の形態の帯域外特性について図４を参照しながら説明する。図４は、本実施の形態の帯域外特性を表す図である。図４では、横軸が周波数（Freq.［MHz］）で、縦軸が損失（Loss［dB］）である。
図４に示すように、周波数ｆ０（４３０ＭＨｚ）から２〜３目盛離れた減衰が５０〜５４ｄＢとなっており、減衰が大きくなって、改善されていることが分かる。
【００３９】
［実施の形態の効果］
本デバイスによれば、ＳＡＷフィルタを２組備えた共振型フィルタを備え、１組目のＳＡＷフィルタに形成される複数のグランド電極７ａ，７ｂをパッケージ４０の第１のグランド電極パッド３０ａにワイヤー１２ａ，１２ｂで接続し、２組目のＳＡＷフィルタに形成される複数のグランド電極８ａ，８ｂをパッケージ４０の第２のグランド電極パッド３０ｃにワイヤー１２ｃ，１２ｄで接続し、第１、第２のグランド電極パッド３０ａ，３０ｃが、スルーホールで導通して下層の共通グランド電極に接続し、更に各組のグランド電極のパターンを、接続するグランド電極パッドに近づけるよう引き出した形状としたものであり、各組のグランド電極が一つのグランド電極パッドに集約して接続されるため、帯域外減衰の劣化を防止でき、帯域外特性を向上できる効果がある。
【産業上の利用可能性】
【００４０】
本発明は、帯域外特性を改善できる弾性表面波デバイスに好適である。
【符号の説明】
【００４１】
１...入力ＩＤＴ、  ２...出力ＩＤＴ、  ３...反射器、  ５ａ...入力電極、  ５ｂ...出力電極、  ７ａ，７ｂ...グランド電極、  ８ａ，８ｂ...グランド電極、  ９...シールド電極、  １０...基板、  １１ａ...出力ワイヤー、  １１ｂ...入力ワイヤー、  １２ａ，１２ｂ，１２ｃ，１２ｄ...グランドワイヤー、  １３...グランドワイヤー、  １５ａ，１５ｂ...フィルタパターン、  ２０ａ...出力電極パッド、  ２０ｂ...入力電極パッド、  ３０ａ，３０ｂ，３０ｃ，３０ｄ...グランド電極パッド、
【図１】
2013106096.tif 000003
【図２】
2013106096.tif 000004
【図３】
2013106096.tif 000005
【図４】
2013106096.tif 000006
【図５】
2013106096.tif 000007
【図６】
2013106096.tif 000008